(57)【要約】【課題】紛失した携帯端末の位置情報を検索する場合に、オペレータの設置や携帯端末や交換局装置の高機能化に伴うコスト増を軽減することが可能な携帯位置情報検索システムを提供する。【解決手段】電話回線ネットワークを介して電話機に音声応答する音声応答手段と、電話回線ネットワークを介して電話機から受信した携帯端末の認証情報を用いて、携帯端末の認証を行う携帯端末認証手段と、携帯端末の位置情報を検索する位置情報検索手段とを備え、ＩＰネットワークを介して、認証が完了した携帯端末に搭載された位置情報を取得するためのソフトウェアを起動して、携帯端末から取得した位置情報を音声データに変換して電話機に音声応答する。【選択図】  図２
2016208271.tif 000002
【特許請求の範囲】
【請求項１】
携帯端末と、前記携帯端末の位置を検索する携帯位置情報検索装置を有する携帯位置情報検索システムであって、
前記携帯端末には、前記携帯端末の位置情報を取得するためのソフトウェアが搭載されており、
携帯位置情報検索装置は、電話回線ネットワークを介して電話機に音声応答する音声応答手段と、電話回線ネットワークを介して前記電話機から受信した前記携帯端末の認証情報を用いて、前記携帯端末の認証を行う携帯端末認証手段と、前記携帯端末の位置情報を検索する位置情報検索手段とを備え、
前記位置情報検索手段は、ＩＰネットワークを介して、前記携帯端末認証手段により認証が完了した前記携帯端末に搭載された前記ソフトウェアを起動して、前記携帯端末から前記位置情報を取得し、
前記音声応答手段は、音声データに変換された前記位置情報を用いて前記電話機に音声応答する
携帯位置情報検索システム。
【請求項２】
携帯端末の位置を検索する携帯位置情報検索装置であって、
電話回線ネットワークを介して電話機に音声応答する音声応答手段と、
前記電話回線ネットワークを介して前記電話機から受信した前記携帯端末の認証情報を用いて、前記携帯端末の認証を行う携帯端末認証手段と、
前記携帯端末の位置情報を検索する位置情報検索手段とを備え、
前記位置情報検索手段は、ＩＰネットワークを介して、前記携帯端末認証手段により認証が完了した前記携帯端末に搭載された前記携帯端末の位置情報を取得するためのソフトウェアを起動して、前記携帯端末から前記位置情報を取得し、
前記音声応答手段は、音声データに変換された前記位置情報を用いて前記電話機に音声応答する
携帯位置情報検索装置。
【発明の詳細な説明】
【技術分野】
【０００１】
本願発明は、紛失した携帯端末の位置情報を検索する携帯位置情報検索システムに関する。
【背景技術】
【０００２】
近年の携帯端末の急激な普及に伴い、移動する端末の位置を管理したり、端末が紛失あるいは盗難等にあった場合に、その携帯端末の位置情報を検索するニーズが高まっており、携帯端末の位置情報を検索する方法として、携帯端末のＧＰＳ（Ｇｌｏｂａｌ  Ｐｏｓｉｔｉｏｎｉｎｇ  Ｓｙｓｔｅｍ）機能を用いる方法が提案されている。
【先行技術文献】
【特許文献】
【０００３】
【特許文献１】特開平１１−２３６９１号公報
【特許文献２】特開平２−２８６４５０号公報
【特許文献３】特開２００２−１５２８３９号公報
【特許文献４】特開２００１−３３９７６９号公報
【発明の概要】
【発明が解決しようとする課題】
【０００４】
例えば、特許文献１では、保守者が入力した所定のコマンドを、交換機がメッセージに変換して移動機に送信し、メッセージを受信した移動機が、ＧＰＳ機能を用いて測定した位置情報を含むメッセージを交換機に送信する方法が提案されている。この方法では、移動機の状態に応じて、保守者が移動機に対して、様々な操作を行うことが可能となるが、保守者の人件費や交換機の高機能化のためのコストが多大となるという問題がある。
【０００５】
一方、紛失した携帯端末や自動車電話に対して加入者が電話をかけて、必要な情報を固定電話やプッシュホン電話からキー入力することにより、携帯端末等の位置情報を自動送信させる方法も提案されている（例えば、特許文献２、３参照）。これらの方法によれば、加入者自らが保守者の手を借りることなく紛失した携帯端末を捜索できるので、保守者の人件費や交換機の高機能化が不要になるが、携帯端末側の高機能化を図る必要がある。
【０００６】
また、携帯電話を紛失した加入者から交換局装置にメッセージを送信し、それに基づいて交換局装置から自動的に携帯端末に着信を行い、携帯端末に位置情報を送信させる方法も提案されている（例えば、特許文献４参照）。しかしながら、携帯端末の加入者数に応じて多数設置されている交換局装置のすべてに、携帯端末の位置検索のための機能を搭載することは現実的でない。
【０００７】
最近のスマートホン等の携帯端末には、紛失時を想定した位置検索用のサービスが提供されており、利用者がネットワーク上のサーバにアクセスすることにより携帯端末の位置情報を把握することが可能である。このサービスは、利用者が直接Ｗｅｂアクセスすることにより利用可能であるため低コストであるが、Ｗｅｂアクセスするための環境がない場合には利用することができない。そのため、大手携帯電話キャリアにおいては、利用者の要望に応じて多額の費用をかけて電話オペレータを設置し、紛失した携帯端末の捜索等を行っているのが現状である。
【０００８】
本願発明は、以上のような課題を解決するためになされたものであり、紛失した携帯端末の位置情報を検索する場合に、オペレータの設置や携帯端末や交換局装置の高機能化に伴うコスト増を軽減することが可能な携帯位置情報検索システムを提供することを目的とする。
【課題を解決するための手段】
【０００９】
上述したような課題を解決するために、本願発明の携帯位置情報検索システムは、携帯端末と、前記携帯端末の位置を検索する携帯位置情報検索装置を有する携帯位置情報検索システムであって、前記携帯端末には、前記携帯端末の位置情報を取得するためのソフトウェアが搭載されており、携帯位置情報検索装置は、電話回線ネットワークを介して電話機に音声応答する音声応答手段と、電話回線ネットワークを介して前記電話機から受信した前記携帯端末の認証情報を用いて、前記携帯端末の認証を行う携帯端末認証手段と、前記携帯端末の位置情報を検索する位置情報検索手段とを備え、前記位置情報検索手段は、ＩＰネットワークを介して、前記携帯端末認証手段により認証が完了した前記携帯端末に搭載された前記ソフトウェアを起動して、前記携帯端末から前記位置情報を取得し、前記音声応答手段は、音声データに変換された前記位置情報を用いて前記電話機に音声応答する。
【００１０】
また、本願発明の追跡端末管理装置は、携帯端末の位置を検索する携帯位置情報検索装置であって、電話回線ネットワークを介して電話機に音声応答する音声応答手段と、前記電話回線ネットワークを介して前記電話機から受信した前記携帯端末の認証情報を用いて、前記携帯端末の認証を行う携帯端末認証手段と、前記携帯端末の位置情報を検索する位置情報検索手段とを備え、前記位置情報検索手段は、ＩＰネットワークを介して、前記携帯端末認証手段により認証が完了した前記携帯端末に搭載された前記携帯端末の位置情報を取得するためのソフトウェアを起動して、前記携帯端末から前記位置情報を取得し、前記音声応答手段は、音声データに変換された前記位置情報を用いて前記電話機に音声応答する。
【発明の効果】
【００１１】
本願発明によれば、紛失した携帯端末の位置情報を検索する場合に、オペレータの設置や携帯端末や交換局装置の高機能化に伴うコスト増を軽減することが可能な携帯位置情報検索システムを提供することができる。
【図面の簡単な説明】
【００１２】
【図１】図１は、本願発明における携帯位置情報検索システムの全体構成を表す図である。
【図２】図２は、本願発明における携帯端末と携帯位置情報検索装置の構成を表す図である。
【図３】図３は、本願発明における携帯位置情報検索処理を説明するための図である。
【図４】図４は、本願発明における携帯位置情報検索装置における処理を説明するためのフローチャートである。
【発明を実施するための形態】
【００１３】
以下、本願発明を実施するための形態について説明する。
【００１４】
図１は、本願発明における携帯位置情報検索システムの全体構成を表す図である。
【００１５】
本願発明の携帯位置情報検索システムは、携帯位置情報検索装置１０と、位置情報の検索対象である携帯端末２０と、利用者が携帯端末２０の位置情報を検索する際に用いる固定電話３０または携帯電話４０から構成されている。
【００１６】
携帯位置情報検索システムでは、携帯位置情報検索装置１０と、固定電話３０または携帯電話４０との間の通信は、電話回線ネットワークを介して行われ、携帯位置情報検索装置１０と携帯端末２０との間の通信は、インターネット等のＩＰネットワークを介して行われる。携帯端末２０は、ＧＰＳ等の位置情報の取得機能を有しており、そのためのソフトウェアを搭載することができる。
【００１７】
利用者は、固定電話３０または携帯電話４０から、携帯位置情報検索装置１０に対して電話をかけて、登録ＩＤやパスワード等の携帯端末の認証情報を送信して、携帯端末の位置情報の検索を依頼する。ここで、認証情報等の入力は、固定電話３０または携帯電話４０のプッシュボタン操作により行われる。
【００１８】
携帯位置情報検索装置１０は、固定電話３０等に音声応答することにより、携帯端末２０の認証情報の入力を促し、固定電話３０等で入力された認証情報を用いて携帯端末２０の認証を行う。認証が完了した場合には、携帯位置情報検索装置１０は、ＩＰネットワークを介して、携帯端末２０に搭載されている位置情報を取得するためのソフトウェアを起動するとともに、携帯端末２０から位置情報を取得する。
【００１９】
携帯端末から送信される位置情報は、緯度・経度情報からなる座標データで構成されているため、携帯位置情報検索装置１０において音声データに変換されて、音声応答により固定電話３０等に伝達される。
【００２０】
図２は、本願発明における携帯端末と携帯位置情報検索装置の構成を表す図面である。
【００２１】
携帯端末２０は、無線通信を行う無線部２１とＧＰＳ機能により位置情報を取得する位置情報取得部２２およびこれらを制御し、携帯位置情報検索装置１０から受信する信号を処理する制御部２３から構成されている。制御部２３には、携帯位置情報検索装置１０から遠隔で起動可能な位置情報を取得するためのソフトウェアが搭載されている。
【００２２】
位置情報取得部２２では、ＧＰＳ衛星７０からの複数の電波を受信し、携帯端末２０が存在する場所の位置情報である緯度・経度情報を取得する。制御部２３では、携帯位置情報検索装置１０からの指示に基づき、位置情報を取得するためのソフトウェアを起動し、位置情報取得部２２で得られた緯度・経度情報を、無線部２１を経由して、携帯位置情報検索装置１０に返信する。
【００２３】
携帯位置情報検索装置１０は、固定電話３０等と電話回線ネットワーク６０を介した通信を行うためのＩ／Ｆ部１５と電話通信部１６、インターネット等のＩＰネットワーク５０に接続するためのＩ／Ｆ部１５とＮＷ接続部１７、各種制御を行う制御部１１、および記憶部１８から構成されている。
【００２４】
制御部１１は、固定電話３０等に音声応答を行う音声応答部１２、携帯端末２０の認証を行う携帯端末認証部１３、および携帯端末２０の位置情報を検索する位置情報検索部１４を備え、記憶部１８には、携帯端末２０の認証を行うための認証情報が記憶されている。認証情報としては、例えば、登録ＩＤやパスワード等が想定されるが、それらに限定されない。また、記憶部１８には、認証情報とともに、対応する携帯端末２０の電話番号やメールアドレス等の携帯端末を識別するための情報が登録されており、それらの情報は、携帯端末２０に位置情報を問い合わせる際の携帯端末の識別情報として使用する。
【００２５】
音声応答部１２では、固定電話３０等からの着信に対応して、電話回線ネットワーク６０を介して音声応答を行う。例えば、音声ガイダンスにより登録ＩＤやパスワード等の認証情報の入力を促す処理や、音声データに変換された携帯端末２０の位置情報を、音声応答により固定電話３０等に伝達する処理等を行う。登録ＩＤやパスワード等は、固定電話３０等からのプッシュボタン操作により入力されるので、入力されたこれらの情報は認証を行うためのデータに変換されて、携帯端末認証部１３に引き渡される。
【００２６】
携帯端末認証部１３では、固定電話３０等から入力された登録ＩＤやパスワード等を、記憶部１８に記憶されている携帯端末２０の認証情報と比較することにより、携帯端末２０の認証を行い、登録ＩＤやパスワード等の認証情報が一致し、認証が完了した場合には、携帯端末２０の電話番号やメールアドレス等の携帯端末の識別情報を、位置情報検索部１４に引き渡す。
【００２７】
位置情報検索部１４では、携帯端末認証部１３での認証が完了すると、検索対象となる携帯端末２０の位置情報を取得するため、検索対象となる携帯端末２０の識別情報を用いて、インターネット等のＩＰネットワーク５０を介して、該当する携帯端末２０に搭載された位置情報を取得するためのソフトウェアを起動して、携帯端末２０に対して位置情報を問い合わせる。
【００２８】
この位置情報の問い合わせは、携帯端末のＯＳに対応したプッシュサーバを利用することにより、実現することができる。例えば、Ａｎｄｒｏｉｄ端末であれば、Ｇｏｏｇｌｅ社が提供するＧＣＭ（Ｇｏｏｇｌｅ  Ｃｌｏｕｄ  Ｍｅｓｓａｇｉｎｇ）、ｉＯＳ端末の場合には、Ａｐｐｌｅ社の提供するＡＰＮｓ（Ａｐｐｌｅ  Ｐｕｓｈ  Ｎｏｔｉｆｉｃａｔｉｏｎ  Ｓｅｒｖｉｃｅ）等があるが、これらに限定されない。
【００２９】
位置情報検索部１４は、携帯端末２０から緯度・経度情報からなる座標データで構成される位置情報を受信すると、これらの情報を音声データに変換して、音声応答部１２に引き渡し、電話回線ネットワークを介した音声応答により固定電話３０等に伝達される。
【００３０】
尚、緯度・経度情報からなる座標データの音声データへの変換は、音声応答部１２で行ってもよい。また、音声応答部１２と位置情報検索部１４は、同一のハードウェア上に搭載してもよいし、個別のハードウェア上に搭載してもよい。
【００３１】
図３を用いて、本願発明における携帯位置情報検索処理を説明する。
【００３２】
携帯位置情報検索装置１０には、紛失した場合に備えて、検索の対象となる携帯端末の認証情報が予め登録されている。この認証情報は、例えば、登録ＩＤやパスワード等であり、それらに対応する携帯端末２０の電話番号やメールアドレス等の携帯端末の識別情報も併せて登録されている。
【００３３】
利用者は、紛失した携帯端末２０を検索したい場合には、固定電話３０または携帯電話４０から、所定の電話番号が与えられている携帯位置情報検索装置１０に電話をかけ、電話の着信を受けた携帯位置情報検索装置１０は、音声ガイダンスにより登録ＩＤやパスワード等の認証情報の入力を促す。
【００３４】
利用者は、音声ガイダンスに従って、固定電話３０等からのプッシュボタン操作により、登録ＩＤやパスワード等の認証情報を入力し、携帯位置情報検索装置１０は、入力された登録ＩＤやパスワード等の認証情報を、登録されている認証情報と比較することにより、対応する携帯端末に位置情報を問い合わせてよいかどうか判定する。
【００３５】
携帯位置情報検索装置１０は、認証が完了した場合には、認証情報に対応する携帯端末２０の電話番号やメールアドレス等の携帯端末の識別情報を用いて、検索対象となる携帯端末２０に搭載されているソフトウェアを起動し、位置情報を問い合わせる。
【００３６】
位置情報の問い合わせを受けた携帯端末２０は、位置情報を取得するためのソフトウェアを起動して、携帯端末の緯度・経度情報（座標データ）を取得し、携帯位置情報検索装置１０に返信する。
【００３７】
携帯位置情報検索装置１０は、受信した緯度・経度情報と地図データを用いて携帯端末２０が存在する場所の住所を特定し、それを音声データに変換して、電話回線ネットワークを介した音声応答により固定電話３０等に伝達する。利用者は、その音声データを聞くことにより、紛失した携帯端末２０の位置を特定することができる。
【００３８】
図４は、本願発明における携帯位置情報検索装置における処理を説明するためのフローチャートである。
【００３９】
携帯位置情報検索装置１０は、携帯端末２０を紛失した利用者の固定電話３０または携帯電話４０からの着信を受けると（Ｓ−１）、音声ガイダンスにより登録ＩＤやパスワード等の認証情報の入力を促す（Ｓ−２）。
【００４０】
固定電話３０等から登録ＩＤやパスワード等の認証情報を受信すると（Ｓ−３）、携帯位置情報検索装置１０は、入力された登録ＩＤやパスワード等の認証情報を、登録されている認証情報と比較することにより、対応する携帯端末に位置情報を問い合わせてよいかどうか判定する（Ｓ−４）。
【００４１】
携帯位置情報検索装置１０は、認証が完了した場合には、認証情報に対応する携帯端末２０の電話番号やメールアドレス等の携帯端末の識別情報を用いて、検索対象となる携帯端末２０に搭載されているソフトウェアを起動し、位置情報を問い合わせる（Ｓ−５）。
【００４２】
携帯端末２０から、緯度・経度情報（座標データ）を受信した場合には（Ｓ−６）、受信した緯度・経度情報と地図データを用いて携帯端末２０が存在する場所の住所を特定し、それを音声データに変換し（Ｓ−７）、電話回線ネットワークを介した音声応答により固定電話３０等に伝達する（Ｓ−８）。
【００４３】
このように、本願発明によれば、電話回線ネットワークを介して、固定電話等から認証情報を入力して、音声応答による位置情報の提供を行うようにし、ＩＰネットワークを介して、携帯端末に搭載された位置情報を取得するためのソフトウェアを起動して位置情報を取得するようにしたので、オペレータの設置や携帯端末や交換局装置の高機能化に伴うコスト増を軽減することが可能な携帯位置情報検索システムを提供することができる。
【産業上の利用可能性】
【００４４】
本願発明は、盗難にあった携帯端末を追跡するシステムや、紛失した携帯端末を発見するシステム等、携帯端末の位置を特定するためのシステムに利用することができる。
【符号の説明】
【００４５】
１０…携帯位置情報検索装置、１１…制御部、１２…音声応答部、１３…携帯端末認証部、１４…位置情報検索部、１５…Ｉ／Ｆ部、１６…電話通信部、１７…ＮＷ接続部、１８…記憶部、２０…携帯端末、２１…無線部、２２…位置情報取得部、２３…制御部、３０…固定電話、４０…携帯電話、５０…ＩＰネットワーク（インターネット）、６０…電話回線ネットワーク、７０…ＧＰＳ衛星。
【図１】
2016208271.tif 000003
【図２】
2016208271.tif 000004
【図３】
2016208271.tif 000005
【図４】
2016208271.tif 000006